(57)【要約】      （修正有）【課題】互いに嵌め合うことができるジョイントマットユニット及びそれで構成されるジョイントマットを提供する。【解決手段】ジョイントマットユニットは、相対する両面を有する中間層４と、接着性を有するものであって、中間層４の両面にそれぞれ敷設されている一対の接着層５と、それぞれ外表面３２と内接着面３１からなる相対する両面を有し、それらの内接着面３１でそれぞれ一対の接着層５における異なる１層を介して、中間層４の相対する両面における異なる面に接着されている一対の表面層３と、を含む。【選択図】図４
0003215450.tif 000002
【実用新案登録請求の範囲】
【請求項１】
相対する両面を有する中間層と、
接着性を有するものであって、前記中間層の両面にそれぞれ敷設されている一対の接着層と、
相対する外表面と内接着面とを有し、それらの内接着面でそれぞれ前記一対の接着層における異なる１層を介して、前記中間層の両面における異なる面に接着されている一対の表面層と、を含むことを特徴とするジョイントマットユニット。
【請求項２】
前記表面層は、不織布により構成されており、
前記外表面は、パイル構造を有するように構成されているパイル面であることを特徴とする請求項１に記載のジョイントマットユニット。
【請求項３】
前記一対の表面層それぞれは、互いに異なる色に構成されていることを特徴とする請求項２に記載のジョイントマットユニット。
【請求項４】
前記中間層は、不織布により構成されているものであることを特徴とする請求項１〜請求項３のいずれか一項に記載のジョイントマットユニット。
【請求項５】
前記一対の接着層は、いずれも、熱溶融性接着剤により構成されているものであることを特徴とする請求項１〜請求項４のいずれか一項に記載のジョイントマットユニット。
【請求項６】
複数の請求項１〜請求項５のいずれか一項に記載のジョイントマットユニットが面一に密接して形成されるジョイントマットであって、
前記複数のジョイントマットユニットは、各辺にはそれぞれ凹凸が形成され、且つ、該各辺と密接する他のジョイントマットユニットの一辺の凹凸構造とを互いに嵌め合うように形成されていることを特徴とするジョイントマット。 
【考案の詳細な説明】
【技術分野】
【０００１】
本考案はマットに関し、特に互いに嵌め合うことができるジョイントマットユニット及びそれで構成されるジョイントマットに関する。
【背景技術】
【０００２】
図１及び図２に示されるように、特許文献１には、底層１１と、底層１１の上面に敷設されている接着層１３と、接着層１３を介して、底層１１の上面に接着されている表面層１２と、により構成されているジョイントマットユニットが開示されている。
【０００３】
底層１１は、エチレン酢酸ビニール（Ｅｔｈｙｌｅｎｅ Ｖｉｎｙｌ Ａｃｅｔａｔｅ、ＥＶＡ）により構成されているので、一般の床、マットまたは他の材料により構成されているフロアに敷設することに適用する。表面層１２は、不織布により構成されているので、使用者が足で踏むことに好適である。接着層１３は、ポリエチレンが積層して構成されているので、熱溶融により底層１１と接着層１３とを接着できる。
【先行技術文献】
【特許文献】
【０００４】
【特許文献１】台湾実用新案公告第３１１５２５号説明書
【考案の概要】
【考案が解決しようとする課題】
【０００５】
特許文献１に開示されているジョイントマットユニットは、１つの表面層１２しかないので、表面層１２が破損されると、該ジョイントマットユニットを廃棄して、新しいジョイントマットユニットに交換する必要がある。また、該ジョイントマットユニットに１つの表面層１２しかないので、１種類の色または模様しか有しなく、２種類目の色または模様のジョイントマットユニットを配置しようとする場合には、同じく新しいジョイントマットユニットを購入しなければならない。
【０００６】
上記問題点に鑑みて、本考案は、より経済的なジョイントマットユニットの提供を目的とする。
【課題を解決するための手段】
【０００７】
上記目的を達成すべく、本考案は、反対両面を有する中間層と、接着性を有するものであって、前記中間層の反対両面にそれぞれ敷設されている一対の接着層と、それぞれ外表面と内接着面との反対両面を有し、それらの内接着面でそれぞれ前記一対の接着層における異なる１層を介して、前記中間層の両面における異なる面に接着されている一対の表面層と、を含むことを特徴とするジョイントマットユニットを提供する。
【０００８】
また、本考案は、上記のいずれか一項に記載のジョイントマットユニットが面一に密接して形成されるジョイントマットであって、前記複数のジョイントマットユニットは、各辺にはそれぞれ凹凸が形成され、且つ、該各辺と密接する他のジョイントマットユニットの一辺の凹凸構造とを互いに嵌め合うように形成されていることを特徴とするジョイントマットを提供する。
【考案の効果】
【０００９】
上記の構成によれば、本考案のジョイントマットユニットは、両面それぞれに表面層を有するので、使用者に踏まれる一面の表面層が破損されると、該ジョイントマットユニットを反転して、他面の表面層で使用者に踏まれることができる。従って、本考案のジョイントマットユニットの使用寿命を従来のジョイントマットユニットよりも約２倍程度に延長でき、本考案のジョイントマットユニットにより構成されるジョイントマットを同じ期間使用するならば半分程度のコストで維持することができる。
【図面の簡単な説明】
【００１０】
【図１】特許文献１のジョイントマットユニットを示す分解図である。
【図２】上記のジョイントマットユニットを示す部分断面図である。
【図３】本考案のジョイントマットユニット及びそれで構成されるジョイントマットの実施形態を示す上視図である。
【図４】上記のジョイントマットユニットの実施形態を示す分解図である。
【図５】上記のジョイントマットユニットの実施形態を示す部分断面図である。
【考案を実施するための形態】
【００１１】
以下、各図面を参照しながら、本考案の実施形態について詳しく説明する。
【００１２】
本考案をより詳細に説明する前に、適切と考えられる場合において、同一の符号は、同様の特性を有し得る対応する要素を示すために各図面間で繰り返し用いられることに留意されたい。
【００１３】
図３は本考案のジョイントマットユニットの実施形態を示す上視図である。図４は上記の実施形態を示す分解図である。図５は上記の実施形態を示す部分断面図である。
【００１４】
本考案のジョイントマットユニットは、図４に示されるように、相対する両面を有する中間層４と、接着性を有するものであって、前記中間層４の相対する両面にそれぞれ敷設されている一対の接着層５と、それぞれ外表面３２と内接着面３１とからなる相対する両面を有し、それらの内接着面３１でそれぞれ前記一対の接着層５における異なる１層を介して、中間層４の相対する両面における異なる面に接着されている一対の表面層３と、を含む。
【００１５】
表面層３は、不織布により構成される。表面層３の外表面３２は、図５に示されるように、パイル構造を有するように構成されているパイル面である。
【００１６】
また、パイル面である外表面３２は、ほこりや、足または靴底に付いた異物などを取る機能と、すべり防止機能と、を有するように構成されている。
【００１７】
一対の表面層３それぞれは、互いに異なる色に構成されている。また、他の実施形態として、一対の表面層３それぞれは、互いに異なる模様に構成されることもできる。なお、必要に応じて、一対の表面層３それぞれは、同じ色または同じ模様に構成されることもできる。
【００１８】
中間層４は、ジョイントマットユニットの厚さを増大する効果を有すると共に、使用者がジョイントマットユニットを踏む時の快適感を向上するための緩衝効果と柔軟性とを有する。
【００１９】
この実施形態において、中間層４は、図５に示されるように、不織布により構成されているものであり、厚さが表面層３より厚く形成されている。
【００２０】
また、他の実施形態として、中間層４は、ホットベークコットン（Ｈｏｔ ｂａｋｅ ｃｏｔｔｏｎ）または樹脂ブランケット（Ｒｅｓｉｎ ｂｌａｎｋｅｔ）構造に構成することもでき、あるいは、ポリウレタン発泡材（ｐｏｌｙｕｒｅｔｈａｎｅ、ＰＵ）またはエチレン酢酸ビニールにより構成される板状体に構成することもできる。
【００２１】
接着層５は、毒性がなく、エコロジーの観念に相応しいゴムまたはプラスチック材料の熱溶融性接着剤により構成されているものである。
【００２２】
この実施形態において、接着層５は、ポリエチレンを使用して構成されている。
【００２３】
本考案のジョイントマットは、複数の上記のジョイントマットユニット２が面一に密接するように形成される。
【００２４】
複数のジョイントマットユニット２は、それぞれ略矩形に形成されており、各辺には、それぞれ凹凸が形成され、且つ、該各辺と密接する他のジョイントマットユニットの一辺に形成された対応する凹凸構造と互いに嵌め合うことができる。
【００２５】
この実施形態において、ジョイントマットユニット２は、図３に示されるように、略正方形のユニット本体２１と、略正方形のユニット本体２１の４辺に、前記凹凸構造を構成するように形成されている結合突起２２及び結合凹部２３と、により構成されている。
【００２６】
本考案のジョイントマットを組み合わせる時に、ジョイントマットユニット２のユニット本体２１の一辺にある結合突起２２を他のユニット本体２１の一辺にある結合凹部２３と嵌め合い、且つ結合凹部２３を、他のユニット本体２１の一辺にある結合突起２２に嵌め合うことによりジョイントマットを構成できる。ジョイントマットの大きさは、互いに嵌め合うジョイントマットユニット２の量により調整できる。
【００２７】
なお、ユニット本体２１は、互いに嵌め合って、１つのジョイントマットを構成できれば、長方形または他の形状に形成することもできる。
【００２８】
上記の構成によれば、本考案のジョイントマットユニット２は、両面それぞれに表面層３を有するので、使用者に踏まれる一面の表面層３が破損しても、該ジョイントマットユニット２を反転して、他面の表面層３で使用者に踏まれることができる。また、両面にある表面層３はすべり防止機能を有するので、どの面を地面に面するように設置しても、滑らずに地面に設置できる。従って、ジョイントマットユニットの使用寿命を従来のジョイントマットユニットよりも２倍程度に延長でき、本考案のジョイントマットユニットにより構成されるジョイントマットは同一の使用期間であれば半分程度のコストで維持することができる
【００２９】
そして、ジョイントマットの色を変更したい時や、異なる色でジョイントマットを構成したい時は、一対の表面層３のそれぞれが、互いに異なる色に構成されているので、従来の単色のジョイントマットユニットと比べると、購入が必要なジョイントマットユニットの量を大幅に減少でき、ジョイントマットを構成するコストも大幅に減少できる。
【００３０】
更に、表面層３及び中間層４は、不織布により構成されているので、本考案のジョイントマットユニットは吸音機能も備えている。
【産業上の利用可能性】
【００３１】
本考案のジョイントマットユニットは、一般のジョイントマットを構成することができ、使用寿命が従来のジョイントマットユニットより長いので使用者が多くの場所に敷設することに好適である。
【符号の説明】
【００３２】
２  ジョイントマットユニット
２１  ユニット本体
２２  結合突起
２３  結合凹部
３  表面層
３１  内接着面
３２  外表面
４  中間層
５  接着層
【図１】
0003215450.tif 000003
【図２】
0003215450.tif 000004
【図３】
0003215450.tif 000005
【図４】
0003215450.tif 000006
【図５】
0003215450.tif 000007